(57)【要約】【課題】使用性の高い掃除機を提供する。【解決手段】吸引用の電動送風機（図示せず）を内蔵した本体２と、塵埃吸引用の床用吸込具６と、一端が本体２に接続され他端に先端パイプ４を有するホース３と、先端パイプ４と床用吸込具６とを連通する延長管５と、先端パイプ４に回動自在に設けられると共に先端パイプ４と連通した略Ｌ型のエルボ９と、一端がエルボ９に接続され他端に伸縮延長管１１を有する伸縮ホース１０とを備えたもので、掃除途中に、床用吸込具６が入らない狭い場所の掃除をしたいと思った時に、先端パイプ４に設けられた本体把手部１５を握った状態で、片手で伸縮延長管１１を取り外し、片手で伸縮延長管１１を延ばし、自由に動かすことができ、さらに、伸縮ホース１０が延びるため、本体につながったホース３のようには力がかからず、また、腰を屈めずに楽に掃除をすることができる。【選択図】図１
2011244973.tif 000002
【特許請求の範囲】
【請求項１】
吸引用の電動送風機を内蔵した本体と、塵埃吸引用の床用吸込具と、一端が前記本体に接続され他端に先端パイプを有するホースと、前記先端パイプと前記床用吸込具とを連通する延長管と、前記先端パイプに回動自在に設けられると共に前記先端パイプと連通した略Ｌ型のエルボと、一端が前記エルボに接続され他端に伸縮延長管を有する伸縮ホースとを備えた電気掃除機。
【請求項２】
伸縮延長管は、一端に隙間吸込具を形成すると共に表面に複数の凹部を有する第一の延長管と、一端が伸縮ホースに接続されると共に、前記第一の延長管が出入りする第二の延長管と、前記第一の延長管の抜け落ちを防止する抜け止め部と、前記第一の延長管を押し出す方向に付勢するバネＡと、前記凹部に係合する爪を有する押しボタン部と、前記押しボタン部を外方に付勢するバネＢと、前記押しボタン部を覆うケース部とを備え、前記押しボタン部を押すことにより、前記凹部と前記爪の係合を解除し、前記押しボタン部から指を離すと、前記爪が前記凹部に係合するようにして、前記第一の延長管を前記第二の延長管に出入り、保持できるようにした請求項１に記載の電気掃除機。
【請求項３】
伸縮延長管の後端を係止する爪部を有する保持リブを有し、第一の延長管の先端の凹部から先端までの距離を、前記伸縮延長管と前記爪部との係り代よりも長く設定すると共に、前記伸縮延長管を前記係り代以上に縮められるようにした請求項１又は２に記載の電気掃除機。
【請求項４】
伸縮延長管を収納する収納部を、先端パイプに設けた請求項３に記載の電気掃除機。
【請求項５】
伸縮ホースを可撓性素材よりなる蛇腹ホースで形成した請求項１から４のいずれか１項に記載の電気掃除機。
【請求項６】
伸縮ホースの収納時に、前記伸縮ホースが、第二の延長管の端部内に隠れるようにした請求項５に記載の電気掃除機。
【請求項７】
第二の延長管の端部で伸縮ホースを収納する部分にわずかな凹みを設け把手部とした請求項６に記載の電気掃除機。
【請求項８】
伸縮ホースの内径を、ホース内径の５０％から７０％にした請求項１〜７のいずれか１項に記載の電気掃除機。
【発明の詳細な説明】
【技術分野】
【０００１】
本発明は、本体と、ホースと、把手部と一体になった先端パイプ部と、延長管と、床用吸込具を備えた電気掃除機に関するもので、特に、吸込経路途中にある先端パイプ部につながる第二の吸込経路として伸縮ホース、これにつながる伸縮延長管、先端には隙間吸込具を設けた電気掃除機に関するものである。
【背景技術】
【０００２】
従来のこの種の電気掃除機は、下記の特許文献１、２及び３に開示されたものがある。特許文献１には、床面掃除用吸込み口や隅部掃除用吸込み口などを、分岐回路を介して、あらかじめ本体への吸引通路に連結しておき、その分岐回路を弁などで切り替えることにより、使用目的に応じた吸込み口を使い分けられるようにした電気掃除機が開示されている。
【０００３】
また、特許文献２には、主吸込経路に連通する副吸込経路を設け、副吸込経路の端部を主吸込経路の一部に着脱自在に設け、副吸込具が本体に固定されている時は副吸込具の吸込口が塞がれ、副吸込具が取り外された時には、吸込口が開放されるようにし、さらに副吸込具が使われる時には、主吸込具側を閉塞できるようにした電気掃除機が開示されている。
【０００４】
さらに、特許文献３には、ホースが接続された手元ハンドル部と、本体管と、ノズルとから構成されていて、本体管が、手元ハンドル部に着脱可能に接続されたアタッチメント本体部とこれに取り付けられる延長パイプからなり、ノズルに接続された延長パイプを自立させた状態で手元ハンドル部から離脱させるとアタッチメント本体部がノズルとして使えるようにした電気掃除機が開示されている。
【先行技術文献】
【特許文献】
【０００５】
【特許文献１】実開平６―３２５３号公報
【特許文献２】特開２００３−１２５９８７号公報
【特許文献３】特許第４２５８７３０号公報
【発明の概要】
【発明が解決しようとする課題】
【０００６】
しかしながら、特許文献１に開示されたような従来の電気掃除機の構成では、確かに延長管を外してアタッチメントをその先につけかえるよりは簡単と考えられるが、片手で把手部を持ち、もう片方の手で切り替えを行い、延長管に取り付けられたホースの取り付け、取り外しを両手で、手元ハンドルを持ち替えながら行うので、簡便性に乏しい。
【０００７】
また、このように大きな切り替え弁構成を手元ハンドル部に設けると手元にかかる荷重が大きく、通常の使用時に疲れるということになる。さらに、植毛のついた家具ノズル等吸込具が増えるごとにこのユニットを大きくするとさらに重くなるということも考えられる。また、近年では、床用吸込具から外れる小さな吸込具、延長管の途中についているブラシ等がこのホースの収納形態では使うことができず、良い特徴が失われることとなる。また、特許文献２に開示されたような従来の電気掃除機の構成では、副吸込口が主吸込経路であるホースあるいは延長管で保持されており、さらにその副吸込口が手元ハンドルから離れる方向に保持されている。この場合、ホースを持って隅部を掃除することは柔らかいため難しく、できるだけノズル先端側をつかもうとするが、手元ハンドルから離れる側
に副吸込口がくるため、使用者から取りやすくするとホースの長さが短くなり掃除をするには使いにくいものとなる。
【０００８】
また、ホースに沿わせる場合、ホースの変形に対しての自由度があるため、副吸込口と使用者が持つところが近くなり、その分、被掃除面に対して腰を屈めて使うこととなり使いにくいものとなる。さらに延長管側に副吸込口先端保持位置を設けた場合は、延長管の途中についているブラシ等を使うと、まず先に、延長管を外すのに、この延長管に保持された副吸込経路を外す必要があり、さらに副吸込口を片手で持った状態でブラシ等を使うことになり、良い特徴を生かせない、非常に使い勝手の悪いものとなる。また、本体の引き回し等で、ホースから副吸込口先端が容易に外れ、意図しないときに副吸込口から吸い込むという状態になり使い勝手が悪いという課題があった。
【０００９】
また、特許文献３に開示されたような従来の電気掃除機の構成では、アタッチメント本体から延長パイプを外すのに、一度ノズル部に対して立てた状態にして外す必要があり、常に、立てる、外す、付けるという動作が繰り返され、煩わしいものであった。また、掃除中アタッチメント本体で吸引している時に、ここ、あそこと動いていると、ノズル部が遠くに置かれていたり、さらに、本来は、ホースの重さは、ノズル部、延長管で支えられているので、持ち手にあまりかからないが、延長パイプを外すと、支えるものが無いため、ホースの重さが、持ち手にかかるようになり、腕が疲れ、特に、棚の上等の掃除には使い勝手の悪いものとなる。
【００１０】
本発明は、このような従来の課題を解決するもので、使い勝手が良く、収納性のよい、また、見栄えのよい電気掃除機を提供することを目的とするものである。
【課題を解決するための手段】
【００１１】
上記のような従来の課題を解決するために、本発明の電気掃除機は、吸引用の電動送風機を内蔵した本体と、塵埃吸引用の床用吸込具と、一端が前記本体に接続され他端に先端パイプを有するホースと、前記先端パイプと前記床用吸込具とを連通する延長管と、前記先端パイプに回動自在に設けられると共に前記先端パイプと連通した略Ｌ型のエルボと、一端が前記エルボに接続され他端に伸縮延長管を有する伸縮ホースとを備えたもので、使用者が掃除途中に壁、隅等での床用吸込具が入らない場所の掃除をしたいと思った時に、先端パイプに設けられた把手部を握った状態で、片手で伸縮延長管を取り外し、同じ片手で伸縮延長管を延ばし、さらに先端パイプから伸縮延長管が回動自在なＬ型のエルボを介して伸縮ホースでつながっていることにより、自由に動かすことができ、さらに、ホースが延びるため本体につながるホースのようには力がかからず楽に操作できる。また、伸縮延長管のため腰を屈めずに掃除をすることができ、また、もう片方の手で先端パイプの把手部を握っているため延長管、床用吸込具を遠くに失うことなく、すぐに伸縮延長管をもとに収納し、床用吸込具からの掃除にもどることが出来、アタッチメントの付け替えがいらず、効率よく掃除ができる。
【発明の効果】
【００１２】
本発明の電気掃除機は、隅、壁際の掃除をアタッチメントの付け替えすることなく、サッとでき、さらに、その部分が終われば、また、すぐに本来の掃除に戻れ、効率良く掃除を行うことができる。
【図面の簡単な説明】
【００１３】
【図１】本発明の実施の形態１における電気掃除機の全体側面図
【図２】同電気掃除機の伸縮ホースの収納時の側面図
【図３】（ａ）同電気掃除機の伸縮延長管の伸張時の要部断面図、（ｂ）同伸縮延長管を縮めたときの要部断面図
【図４】（ａ）〜（ｃ）同伸縮延長管の収納動作時の要部断面図
【図５】（ａ）同電気掃除機の伸縮ホースを縮めた状態を示す半断面図、（ｂ）同伸縮ホースを伸ばした状態を示す半断面図
【図６】同伸縮ホースの他の例を示す要部断面図
【図７】同伸縮延長管の他の例を示す側面図
【発明を実施するための形態】
【００１４】
第１の発明は、吸引用の電動送風機を内蔵した本体と、塵埃吸引用の床用吸込具と、一端が前記本体に接続され他端に先端パイプを有するホースと、前記先端パイプと前記床用吸込具とを連通する延長管と、前記先端パイプに回動自在に設けられると共に前記先端パイプと連通した略Ｌ型のエルボと、一端が前記エルボに接続され他端に伸縮延長管を有する伸縮ホースとを備えたもので、使用者が掃除途中に壁、隅等での床用吸込具が入らない場所の掃除をしたいと思った時に、先端パイプに設けられた把手部を握った状態で、片手で伸縮延長管を取り外し、同じ片手で伸縮延長管を延ばし、さらに先端パイプから伸縮延長管が回動自在なＬ型のエルボを介して伸縮ホースでつながっていることにより、自由に動かすことができ、さらに、ホースが延びるため本体につながるホースのようには力がかからず楽に操作できる。また、伸縮延長管のため腰を屈めずに掃除をすることができ、また、もう片方の手で先端パイプの把手部を握っているため延長管、床用吸込具を遠くに失うことなく、すぐに伸縮延長管をもとに収納し、床用吸込具からの掃除にもどることが出来、アタッチメントの付け替えがいらず、効率よく掃除ができる電気掃除機を提供することができる。
【００１５】
第２の発明は、特に、第１の発明の伸縮延長管は、一端に隙間吸込具を形成すると共に表面に複数の凹部を有する第一の延長管と、一端が伸縮ホースに接続されると共に、前記第一の延長管が出入りする第二の延長管と、前記第一の延長管の抜け落ちを防止する抜け止め部と、前記第一の延長管を押し出す方向に付勢するバネＡと、前記凹部に係合する爪を有する押しボタン部と、前記押しボタン部を外方に付勢するバネＢと、前記押しボタン部を覆うケース部とを備え、前記押しボタン部を押すことにより、前記凹部と前記爪の係合を解除し、前記押しボタン部から指を離すと、前記爪が前記凹部に係合するようにして、前記第一の延長管を前記第二の延長管に出入り、保持できるようにしたもので、伸縮延長管は押しボタン部を押すことにより爪が外れロックが解除されるため、収納部位から取り出したときには延びた状態になり、すぐに使うことが出来片手で操作することができる。さらに、途中で長さを変更したい場合には第一の延長管を床、壁に押し付けて押しボタン部を押し、爪を外し、さらに押しボタン部を押した状態で長さを調節し、爪を凹部に入れて押しボタン部から手を離すことで、長さ変更することが片手で容易にでき、使い勝手よく掃除ができる電気掃除機を提供することができる。
【００１６】
第３の発明は、特に、第１又は、第２の発明の伸縮延長管の後端を係止する爪部を有する保持リブを有し、第一の延長管の先端の凹部から先端までの距離を、前記伸縮延長管と前記爪部との係り代よりも長く設定すると共に、前記伸縮延長管を前記係り代以上に縮められるようにしたもので、伸縮延長管を収納するのに伸縮延長管の先端を収納部に押し付け押しボタン部を押して爪を外し、ロックを解除し、伸縮延長管を縮めるが後方のロックを嵌めるためにさらにその爪の係り代以上に伸縮延長管を縮め、収納のロックが掛かってから押しボタン部から手を離すことで、収納部にきっちりおさまり、倒れてもロックが外れず安全な収納状態にすることができる。また、何度装着、取り外しを繰り返しても、収納部には力がかからず安定した状態を確保することができ、さらに、押しボタン部を押すことでロックを外す動作、また、収納部に延長管先端を押し付けて押しボタン部を押し伸縮延長管の長さを短く調整する動作は同じ動作であり、押しボタン部を操作する動作だけでわかりやすく、使いやすい電気掃除機を提供することができる。
【００１７】
第４の発明は、特に、第３の発明の伸縮延長管を収納する収納部を、先端パイプに設けたもので、伸縮延長管を、先端パイプに設けた把手部の近くに設けているため、使用者が使いたい時に伸縮延長管にすぐ手が届き使いやすい。また、収納部が先端パイプにあるため、土台がしっかりしており、掃除機本体が動くことにより、収納状態が変わらず安定した収納部にすることができる。また、先端パイプ先端に取り付けられた別のアタッチメントも伸縮延長管がついた状態で使え、別部品を付けることなく使い勝手がよい。
【００１８】
第５の発明は、特に、第１〜４のいずれか一つの発明の伸縮ホースを可撓性素材よりなる蛇腹ホースで形成したもので、さらに軽量にすることが出来、使いやすく、デザイン性もよく、また、収納性も場所をとらないものにした電気掃除機を提供することができる。
【００１９】
第６の発明は、特に、第５の発明の伸縮ホースの収納時に、前記伸縮ホースが、第二の延長管の端部内に隠れるようにしたもので、収納部に伸縮延長管を収納すると、伸縮延長管の一端が塞がれるため、伸縮ホースが縮み自動的に第二の延長管端部内に伸縮ホースを収納することができ、見栄えの良い電気掃除機を提供できる。
【００２０】
第７の発明は、特に、第６の発明の第二の延長管の端部で伸縮ホースを収納する部分にわずかな凹みを設け把手部としたもので、凹みに指が掛かかるので握りやすく、伸縮延長管が使い易く、また、デザイン性にもあふれた電気掃除機を提供することができる。
【００２１】
第８の発明は、特に、第１〜７のいずれか一つの発明の伸縮ホースの内径を、ホース内径の５０％から７０％にしたもので、音の静かな、軽くて使いやすい電気掃除機を提供することができる。
【００２２】
以下、本発明の実施の形態について、図面を参照しながら説明する。なお、この実施の形態によって本発明が限定されるものではない。
【００２３】
（実施の形態１）
本発明の実施の形態１における電気掃除機について、図１から図４を用いて説明する。図１は、本実施の形態における電気掃除機の全体側面図、図２は、同電気掃除機の伸縮ホースの収納時の側面図である。
【００２４】
本実施の形態における電気掃除機の掃除機本体２（電動送風機を内臓、図示せず）にホース３が接続され、このホース３の先端に設けられた先端パイプ４には、伸縮自在な延長管５が接続されている。さらに、この延長管５の先端部には、床用吸込具６が接続され、ホース３から床用吸込具６まで、吸込経路７が構成されている。また、先端パイプ４と延長管５にはアタッチメント８が取り付けられている。
【００２５】
そして、先端パイプ４の底部に、先端パイプ４に連通する略Ｌ型のエルボ９が回転自在に設けられている。さらに略Ｌ型のエルボ９には、伸縮ホース１０が取り付けられ、さらに、伸縮ホース１０の先には伸縮延長管１１が構成されている。また、伸縮延長管１１は、先端パイプ４の下方に設けた保持用突部１２と、保持リブ１３の爪部１４とで形成された収納部４ａに収められるようになっている。また、先端パイプ４の上方に設けてあるのは本体把手部１５である。
【００２６】
また、図３、図４に示すように、伸縮延長管１１は、伸縮ホース１０につながる第二の延長管１６と、内部に設けられたバネＡ１７で押し出される方向に付勢されると共に、先端に隙間吸込具２７を形成した第一の延長管１８と、この第一の延長管１８の位置決めと保持をしている爪１９を有している押しボタン部２０と、押しボタン部２０を外方（上方）に付勢するバネＢ２１と、押しボタン部２０の一部を覆うケース部２２と、第二の延長
管１６に設けられ、第一の延長管１８の抜け落ちを防止するための抜け止め部２３により構成されている。
【００２７】
第一の延長管１８には、押しボタン２０の爪１９に対応する凹部２４が複数個設けられている。保持部２５はバネＢ２１を保持している。軸２６により押しボタン部２０を押した際に爪１９が凹部２４から外れるように動く。
【００２８】
上記のように構成された本実施の形態における電気掃除機の動作、作用について説明する。
【００２９】
使用者が掃除を行う場合、本体把手部１５を握り、床用吸込具６を前後に動かし、床面の塵埃を吸引する。このとき伸縮延長管１１の隙間吸込具２７は、保持用突部１２にきっちり収まり密閉され、エアータイトされた状態で、本来、床用吸込具６からは性能低下なく掃除することができる。
【００３０】
ところが、一般家庭の床面には色々と物が置いてあり、床用吸込具６が厚くて入って行かないような狭い場所、または、床用吸込具６の幅が広くて入っていかない場所がある。また、壁際の桟、棚の上なども床用吸込具６では掃除しにくく、床用吸込具６の代わりのアタッチメントを付けて掃除する場面が発生する。
【００３１】
その場合に、図４（ａ）のように収納されている伸縮延長管１１を、図４（ｂ）に示すように伸縮延長管１１の押しボタン部２０を押して、第一の延長管１８の凹部２４に入っている爪１９を、軸２６を中心に回転させて凹部２４から外す。そして第一の延長管１８をさらに伸縮延長管１１内に押し込んで、後方で掛かっていた保持リブ１３の爪部１４と伸縮延長管１１の端部との間に隙間を設ける。
【００３２】
そして、伸縮延長管１１を、保持用突部１２を中心に回転させて取り外す。この時、本体把手部１５は、一方の片手で持った状態で、空いているほうの手で、押しボタン部２０を押し取り外す。取り外したときは、押しボタン部２０を押しているため、爪１９は、第一の延長管１８の凹部２４には入っておらず、バネＡ１７により付勢された第一の延長管１８が自動で外に飛び出てくる。
【００３３】
その後、図４（ｃ）に示すように、押しボタン部２０から指を離せば、バネＢ２１により押しボタン部２０が押され元の位置に戻り、爪１９も、第一の延長管１８の凹部２４に入り、第一の延長管１８が動かないように保持する。この状態で、伸縮延長管１１を被掃除場所に持って行き掃除を行う。
【００３４】
伸縮延長管１１の長さ調整については、収納されたところからは、伸縮延長管１１が長い状態もしくは短い状態の両方の場合があり、長い状態で、途中で長さを変更したい場合には、第一の延長管１８を床や壁に押し付けて押しボタン部２０を押し、爪１９を凹部２４から外し、さらに押しボタン部２０を押した状態で長さを調節し、爪１９を凹部２４に入れて、押しボタン部２０から手を離すことで、伸縮延長管１１の長さの変更が片手で容易にでき、使い勝手がよい。
【００３５】
また、図３（ｂ）に示すように、短い状態で出てきた場合、押しボタン２０を押し、爪１９を凹部２４から外し、バネＡ１７により付勢された第一の延長管１８を出して、押しボタン部２０から手を離すことにより、爪１９が凹２０に入り、図３の（ａ）に示すように、第一の延長管１８の出入りを規制することができる。本実施の形態では、第一の延長管１８に、凹部２４を２箇所しか設けていないが、さらに増やすことで、第一の延長管１８のより細かな長さ調節ができ、棚の上、机の上、家具の表面等もっと細かな掃除をする
ことができる。
【００３６】
掃除を行うのは、伸縮延長管１１の隙間吸込具２７を被掃除場所に押し付けて行うが、片手は、先端パイプ４の上方の本体把手部１５を握り、もう片手で、伸縮延長管１１を握り行う。
【００３７】
先端パイプ４から略Ｌ型のエルボ９を介して伸縮ホース１０が出ているが、略Ｌ型のエルボ９は回転するため、伸縮ホース１０が曲げられて折れることはない。また、伸縮ホース１０が先端パイプ４につながっていることにより、掃除をして動かすのに、本体２の重さ、ホース３の重さもかからず、伸縮ホース１０と伸縮延長管１１だけであり非常に軽い。また、伸縮ホース１０の長さであるが、人間の両手を伸ばした以上に伸びることができれば、それ以上に伸ばす必要もないが、伸縮ホース１０が長くなれば重くなるということもあるし、収納ができないこともあるため、本実施の形態では、肩幅の倍程度までの長さとしている。
【００３８】
これだけ伸ばすことができれば、それ以上に伸ばしたい場合は、本体把手部１５が中心となっているのでその中心を、伸縮延長管１１を握っている側にずらすことで対応できる。また、伸縮ホース１０の径については、使いやすくするために細く、また、軽くし、通常のゴミを吸引するのに最低限度の径を確保するようにしているのと、床用吸込具６から吸い込む風量を、そのまま隙間吸込具２７から吸い込むと、風切り音が発生するため、本実施の形態では、隙間吸込具２７から吸い込む場合には、床用吸込具６からも吸込むようにして、伸縮ホース１０の径を、本体２のホース３の内径の５０％から７０％に小さくして流速を早くして吸い込ませるようにしている。こうすることにより切り替え弁は不要になり、構成が簡単で安価なものになる。
【００３９】
また、別のアタッチメント８を使う場合、本実施の形態における伸縮延長管１１が邪魔にならずに、先端パイプ４から延長管５を外して使うことができ、従来からの特徴を生かすことができる。
【００４０】
また、本実施の形態では、先端に隙間吸込具２７が付いた伸縮延長管１１として長さを長くするようにしているが、これを別の１本の隙間吸込具でやろうとしても取り付ける場所により長さの制限がある。長い場合、延長管に取り付けるのが効果的だが、他のアタッチメントを使う場合、延長管につながっているところを外さないといけない。また、ホース部にはホース部が動きに合わせて変形するため、直線的な長いものは置けないなどの課題がある。
【００４１】
また、隙間吸込具を短くしたらホース部にも取り付けられ、使用者が棚の上を掃除するのはよいが、隅、桟などをする場合には腰を屈めてすることになり、苦痛を伴うものとなるが、本実施の形態では、先端に隙間吸込具２７が付いた伸縮延長管１１にして長さを長くしたことにより、腰を屈めず使用者が楽に使え、使い勝手の良いものとなり、また、収納にもスペースをとらず、見栄えもよいものとなった。
【００４２】
次に、その場所での掃除が終わると伸縮延長管１１を元の場所に収納する。掃除途中の場合、電気掃除機は、運転状態であるが、図４（ｃ）のように伸縮延長管１１の隙間吸込具２７を伸縮延長管１１の保持用突部１２に挿入して、図４の（ｂ）のように押しボタン部２０を押して、第一の延長管１８の凹部２４に入っている爪１９を、軸２６を中心に回転させて外す。
【００４３】
押しボタン部２０を押し続けたまま下方より保持用突部１２を中心に回転させる。押しボタン部２０を押し続けているため、保持リブ１３の爪部１４には当たらず常に隙間が開
いた状態で所定の位置にくるため、押しボタン部２０を押している指を離して保持リブ１３の爪部１４が掛かるようにする。図４（ａ）に示すように、このときに第一の延長管１８は保持用突部１２にて保持されて動かないため、バネＡ１７に押された第二の延長管１６が後方にさがり、爪部１４に掛かるようになる。
【００４４】
また、爪部１４の掛かり代よりも、第一の延長管１８を伸縮延長管１１内に収められるようにしているため、バネＡ１７により押し出されてきた第一の延長管１８の凹部２４に、押しボタン部２０から指を離しているため、爪１９が入り込みロックがかかる。
【００４５】
このため片手で操作でき、簡単でまた、取りつけ取り外しが同じ動作でできるため分かりやすく、掃除途中でも付け外しが苦にならない。また、先端パイプ４から伸縮ホース１０でつなぐことにより、伸縮延長管１１にかかる荷重が少なくなり、動かしやすく使い勝手の良いものを提供できる。さらに爪構成のロックがかけられ、外力を受けても外れにくい、安全な電気掃除機を提供することができる。
【００４６】
図５〜図７は、伸縮ホース１０を可撓性素材よりなる蛇腹ホースで形成した例を示している。
【００４７】
これは、伸縮延長管１１を使って掃除をすることにおいては軽くて良いが、本来の床用吸込具６を使った場合の手元に掛かる荷重の軽減を図るものである。
【００４８】
図５（ｂ）は、可撓性素材よりなる蛇腹ホースを伸ばした状態を、図５（ａ）は、縮めた状態をそれぞれ示している。図５（ａ）の縮めた状態では、一つ一つが前の蛇腹部１０ａに畳み込まれていくものである。また、図６では、これをユニットにした場合の図であり、第二の延長管１６の伸縮ホース１０との接続部１６ａ以降を伸ばし、その内部に伸縮ホース１０を入れ込んで隠し、見た目にきれいになるようにしたものである。
【００４９】
このとき、保持用突部１２に伸縮延長管１１の隙間吸込具２７を取り付けると、先端が塞がれるため、伸縮ホース１０に吸引がかかり、自動的に伸縮ホース１０が縮み、接続部１６ａから第二の延長管１６端部内に伸縮ホース１０を収納することができる。また、図７はこの第二の延長管１６の延長した部分に凹み２９を設け、使用者が持ちやすいように把手部３０とし、また、デザイン的にも見栄えのよいようにしたものである。
【産業上の利用可能性】
【００５０】
本発明の電気掃除機は、床用吸込具では掃除できないところを、別の吸込具に取替え、また、元に戻すということを簡単に行えるものであり、一般家庭用の電気掃除機のみならず、産業用の電気掃除機にも広範囲に利用することができる。
【符号の説明】
【００５１】
２  本体
３  ホース
４  先端パイプ
５  延長管
６  床用吸込具
７  吸込経路
９  エルボ
１０  伸縮ホース
１１  伸縮延長管
１３  保持リブ
１４  爪部
１５  本体把手部
１６  第二の延長管
１７  バネＡ
１８  第一の延長管
１９  爪
２０  押しボタン部
２１  バネＢ
２２  ケース部
２３  抜け止め部
２４  凹部
２７  隙間吸込具
２９  凹み
３０  把手部
【図１】
2011244973.tif 000003
【図２】
2011244973.tif 000004
【図３】
2011244973.tif 000005
【図４】
2011244973.tif 000006
【図５】
2011244973.tif 000007
【図６】
2011244973.tif 000008
【図７】
2011244973.tif 000009